(57)【特許請求の範囲】
【請求項１】
被写体を撮影する撮影手段と、被写体を撮像する固体撮像素子と、
前記撮影手段を通過した被写体像を前記固体撮像素子に結像させる第１の撮像制御手段と、前記固体撮像素子近傍の異物像を撮像する第２の撮像制御手段と、
前記第１および第２の撮像制御手段により撮像される被写体の画像信号を表示する画像表示手段と、
前記固体撮像素子近傍の異物を除去するためのカメラの制御をするクリーニング制御手段とを備えた撮像装置において、
前記第２の撮像制御手段により撮像される被写体の画像信号を表示している前記画像表示手段の画面内に、前記クリーニング制御手段に切換可能なアイコンを備えた、ゴミモード切換制御手段を備えたことを特徴とする撮像装置。
【請求項２】
請求項１記載の撮像装置において、
前記ゴミモード切換制御手段は、クリーニング制御手段を表示している前記画像表示手段の画面内に、前記第２の撮像制御手段に切換可能なアイコンを備えたことを特徴とする撮像装置。
【請求項３】
請求項１または請求項２記載の撮像装置において、当該撮像装置は、レンズ交換型，フォーカルプレーンシャッタ型のデジタルカメラであることを特徴とする撮像装置。
【発明の詳細な説明】
【０００１】
【発明の属する技術分野】
本発明は、被写体を撮影する撮影手段と、被写体を撮像する固体撮像素子と、画像を表示する表示手段とを具備した撮像装置に関し、特にその固体撮像素子上のゴミ取りに関するものである。
【０００２】
【従来の技術】
近年、ＣＣＤ等の固体撮像素子を用いて静止画を記録するデジタルカメラが数多く市場に出回るようになってきた。デジタルカメラは、従来記録媒体として使用していたフィルムが不要になり、これに代わってＣＣＤ等の撮像素子に画像を結像させ、その画像データをＣＦカードやハードディスク装置等の外部記憶装置に記録することになる。外部記憶装置はフィルムと違って何度でも書込み、消去が可能であるので、消耗品に掛かる経費が少なくて済み大変便利である。
【０００３】
これらのデジタルカメラの殆どは、液晶表示装置を使用して撮影画像を随時表示可能なＬＣＤモニタ装置と、携帯可能な大容量の外部記憶装置が搭載されている。これら２つの装置を備えたデジタルカメラを利用すると、従来、消耗品として使用してきた記録媒体であるフィルムが不要になるばかりでなく、ＬＣＤモニタ装置で撮影した画像の出来栄えが撮影現場で確認できるため、満足の得られない画像データはその場で消去したり、また必要に応じて再撮影したり、いわゆる撮影現場でも、外部記憶装置の編集作業が可能になったわけで、銀塩写真と比較すると、写真撮影の効率が飛躍的に高まったと言える。
【０００４】
しかしながら、前述した従来例のデジタルカメラにあっては、ＣＣＤ等の撮像素子の結像面近傍（例えば、カバーガラス上）に被写体とは無関係なゴミ等の異物が存在すると、これも併せて写り込んでしまう問題があった。
【０００５】
従来の銀塩フィルムでもまた、フィルム上にゴミが存在すると写り込んでしまう問題はあるが、フィルムの場合は１駒毎にフィルムが移動するため、全ての駒に同様のゴミが写り込むのは大変希である。
【０００６】
しかし、ＣＣＤ等の撮像素子の場合は、撮影後には何ら機械的な移動は必要ないので、１度ゴミが付着すると多くの駒に同様のゴミが写り込んでしまう。したがって、撮影者は常にこのＣＣＤ等の撮像素子上のゴミの付着には大変気を使っていなければならず、ゴミのチェックや清掃に多くの労力を費やしていた。
【０００７】
特にＣＣＤ等の撮像素子は、カメラ内部の比較的奥まったところに配置されているため、ゴミの確認は容易ではない。
【０００８】
また、一眼レフタイプのデジタルカメラでは、レンズ着脱によりゴミの侵入が容易であるばかりでなく、多くの一眼レフタイプのデジタルカメラの場合、ＣＣＤ等の撮像素子の直前にフォーカルプレーンシャッタを配置している場合が多いので、特にＣＣＤ等の撮像素子上にゴミが付着し易い。デジタルカメラでは、このＣＣＤ等の撮像素子上に付着したゴミの確認や清掃が大きな課題である。
【０００９】
そこで、ＣＣＤ上の、ゴミを、ＬＣＤモニタ装置で確認できる機能（ゴミモード）や、ＣＣＤ上のゴミを除去するために、カメラをバルブにする機能（クリーニングモード）等が搭載されたカメラも市場に供給されるようになってきた。これらのデジタルカメラは、ゴミモードを駆使すれば、ＣＣＤ上のゴミ等の異物の付着状態をＬＣＤモニタ装置を使用して容易に確認でき、また、クリーニングモードを駆使すれば、カメラがバルブ状態を維持して、レンズマウント側からＣＣＤカバーガラス表面を清掃することができ、大変便利である。
【００１０】
図１３，図１４は、従来例において、ゴミモードやクリーニングモードを選択する場合のデジタルカメラの背面部の一部を示している。
【００１１】
図１３において、１３０１はＬＣＤモニタ装置で、撮影画像やメニュー画面を表示する。１３０２はメニューボタンで、１３０３は、サブ電子ダイヤルである。ＬＣＤモニタ装置１３０１に画像を表示する際や、カメラの初期設定、および各モードを選択する際は、このメニューボタン１３０２を押しながらサブ電子ダイヤル１３０３を回転して希望のモードを選択する。希望のモードが選択された時、メニューボタン１３０２を離すと選択が完了する。
【００１２】
ゴミモード、およびクリーニングモードを選択する時は、まず、図１３において、メニューボタン１３０２を押すと、図１３のようなメニュー画面表示になる。ここで、サブ電子ダイヤル１３０３を回転して、１３０４のＭａｉｎ  Ｍｅｎｕを選択（文字が白黒反転する）して、メニューボタン１３０２を離すと、メインメニューの画面に切り換わる（図１４、後述）。メニュー画面を終了する時は、１３０５のＤＯＮＥをサブ電子ダイヤル１３０３を回転して選択（文字が白黒反転する）し、メニューボタン１３０２を離すと、通常のスタンバイ状態に戻る。
【００１３】
前述した、１３０４のＭａｉｎ  Ｍｅｎｕを選択した時は、図１４のメインメニューの画面に切り換わる。図１４において、１４０１，１４０２，１４０３は、図１３と同様、それぞれ、ＬＣＤモニタ装置、メニューボタン、サブ電子ダイヤルである。Ｍａｉｎ  Ｍｅｎｕが選択されると、図１４のように、メインメニューの画面が表示される。ゴミモードを選択する時は、サブ電子ダイヤル１４０３を回転して、１４０４のＤｕｓｔを選択（文字が白黒反転する）し、メニューボタン１４０２を離すと、ゴミモードになる。
【００１４】
図１５の（ａ）に、ゴミモードの時のＬＣＤモニタ装置の表示状態を示す。図１５の（ａ）で、ゴミモードを終了する時は、ＤＯＮＥをサブ電子ダイヤルで選択して、メニューボタン１４０２を離すとゴミモードは終了する。
【００１５】
また、図１４において、クリーニングモードを選択する時は、サブ電子ダイヤル１４０３を回転して、１４０５のＣｌｅａｎｉｎｇを選択（文字が白黒反転する）し、メニューボタン１４０２を離すと、クリーニングモードになる。図１５の（ｂ）に、クリーニングモードの時のＬＣＤモニタ装置の表示状態を示す。図１５の（ｂ）で、クリーニングモードを終了する時は、ＤＯＮＥをサブ電子ダイヤルで選択して、メニューボタン１４０２を離すとクリーニングモードは終了する。また、図１４において、メインメニューを終了する時は、１４０６のＤＯＮＥをサブ電子ダイヤル１４０３を回転して選択（文字が白黒反転する）し、メニューボタン１４０２を離すと、通常のスタンバイ状態に戻る。
【００１６】
【発明が解決しようとする課題】
しかし、以上述べたような従来例では、以下のような問題があった。
【００１７】
ゴミモード動作中の時に、仮にゴミが確認されて、直ちにクリーニングモードによって清掃作業をしたい時は、一旦ゴミモードを終了させて、再度メインメニューを選択し、メインメニューの中からクリーニングモードを選択して、清掃作業をしなければならなかった。また、クリーニングモード動作中の時に、清掃が終了して、直ちにゴミモードによって確認作業をしたい時は、一旦クリーニングモードを終了させて、再度メインメニューを選択し、メインメニューの中からゴミモードを選択して、ゴミの確認作業をしなければならなかった。したがって、ゴミモードとクリーニングモードの相互切換が大変煩雑で、操作にも時間を要していた。
【００１８】
本発明は、このような状況のもとでなされたもので、本発明の第１の目的とするところは、ＣＣＤ等の撮像素子上のゴミ等の異物の付着状態をＬＣＤモニタ装置を使用して容易に確認でき、その後必要最小限のカメラの操作で、クリーニングモードに移行でき、速やかにＣＣＤ上のゴミの清掃ができる撮像装置を提供することである。
【００１９】
また、本発明の第２の目的とするところは、ＣＣＤ等の撮像素子上のゴミ等の清掃をするためのクリーニングモード動作中に、必要最低限のカメラの操作でゴミモードに移行でき、ＣＣＤ等の撮像素子上のゴミ等の異物の付着状態をＬＣＤモニタ装置を使用して容易に確認できる撮像装置を提供することである。
【００２０】
【課題を解決するための手段】
前記目的を達成するため、本発明では撮像装置を次の（１），（２），（３）のとおりに構成する。
【００２１】
（１）被写体を撮影する撮影手段と、被写体を撮像する固体撮像素子と、前記撮影手段を通過した被写体像を前記固体撮像素子に結像させる第１の撮像制御手段と、前記固体撮像素子近傍の異物像を撮像する第２の撮像制御手段と、前記第１および第２の撮像制御手段により撮像される被写体の画像信号を表示する画像表示手段と、前記固体撮像素子近傍の異物を除去するためのカメラの制御をするクリーニング制御手段とを備えた撮像装置において、前記第２の撮像制御手段により撮像される被写体の画像信号を表示している前記画像表示手段の画面内に、前記クリーニング制御手段に切換可能なアイコンを備えた、ゴミモード切換制御手段を備えた撮像装置。
【００２２】
（２）前記（１）記載の撮像装置において、前記ゴミモード切換制御手段は、クリーニング制御手段を表示している前記画像表示手段の画面内に、前記第２の撮像制御手段に切換可能なアイコンを備えた撮像装置。
【００２３】
（３）前記（１）または（２）記載の撮像装置において、当該撮像装置は、レンズ交換型，フォーカルプレーンシャッタ型のデジタルカメラである撮像装置。
【００２４】
【発明の実施の形態】
以下本発明の実施の形態を一眼レフタイプのデジタルカメラの実施例により詳しく説明する。なお、本発明は、前記一眼レフタイプのデジタルカメラのような静止画撮像装置に限らず、動画撮像装置の形で同様に実施することができる。また一眼レフ型に限らず、他のタイプのレンズ交換式デジタルカメラの形で同様に実施することができる。
【００２５】
（実施例１）
図１は、実施例１である“一眼レフタイプのデジタルカメラ”の構成を示す平面図、図２は同デジタルカメラの構成を示す背面図、図３は同デジタルカメラの構成を示す断面図である。各図において、１００はカメラ本体、１１１はファインダ観察用の接眼窓である。図１および図２において、１１２はＡＥ（自動露出）ロックボタン、１１３はＡＦ（オートフォーカス）の測距点選択ボタンである。１１４は撮影操作をするためのレリーズボタンであり、１１５が他の操作ボタンと併用して、カメラに数値を入力したり、撮影モードを切り換えたりするための多機能信号入力用の電子ダイヤルである。
【００２６】
図１および図２において、１１７は撮影モード選択ボタン、１１８はＡＦモード選択ボタン、１１９は測光モード選択ボタンで、調光補正ボタンも兼ねている。図２および図３において、１２０は撮影された画像を表示するＬＣＤ（液晶表示器）モニタ装置（画像表示手段）である。図２において、１２１はＬＣＤモニタ装置１２０をオン／オフするためのモニタスイッチである。
【００２７】
本実施例におけるＬＣＤモニタ装置１２０は透過型であるため、ＬＣＤモニタ装置の駆動だけでは、画像を視認することはできず、必ずその裏面には図３に示すようにバックライト照明装置２１４が必要である。ＬＣＤモニタ装置１２０とバックライト照明装置２１４は画像表示手段を構成している。
【００２８】
図１および図２において、１１６は入力用電子ダイヤル１１５と同様の機能を備えた、本デジタルカメラの撮影条件等を選択するためのサブ電子ダイヤルである。図２において、１２２はこのサブ電子ダイヤル１１６による入力機能をロックするダイヤルロックスイッチ、１２３は本デジタルカメラの全ての動作を禁止するメインスイッチである。１２４はＬＣＤモニタ装置１２０に画像を表示する際や、カメラの初期設定の際にモードを選択するためのメニューボタンで、各モードを選択する時は、このメニューボタン１２４を押しながらサブ電子ダイヤル１１６を回転して希望のモードを選択する。希望のモードが選択された時、メニューボタン１２４を離すと選択が完了する。このメニューボタン１２４とサブ電子ダイヤル１１６は、ゴミモードの設定や、ゴミモードを表示している画面で、クリーニングモードに切り換える際のアイコンの選択にも使用される。
【００２９】
図１および図２において、１４０は撮影条件等を表示する外部表示機能を備えた液晶表示装置よりなる外部表示装置である。
【００３０】
図３に示すように、撮影レンズ２００（撮影手段）は、カメラ本体１００に対して、本体マウント２０２を介して交換可能であって、撮影手段を構成している。図３において、２０１は撮影光軸、２０３はクイックリターンミラーである。クイックリターンミラー２０３は、撮影光路内に設けられていて（斜設されて）撮影レンズ２００からの被写体光をファインダ光学系に導く位置（斜設位置）と撮影光路外に退避する位置（退避位置）との間で移動可能であり、図においては斜設位置にある。
【００３１】
図３において、２０４はピント板で、ファインダ光学系に導かれる被写体光を結像する。２０５はファインダの視認性を向上させるためのコンデンサレンズ、２０６はペンタゴナルダハプリズムで、ピント板２０４およびコンデンサレンズ２０５を通った被写体光をファインダ観察用の接眼レンズ２０８および測光センサ２０７に導く。また、１１１はファインダ観察用の接眼窓である。
【００３２】
２０９，２１０はシャッタを構成する後幕と先幕で、これら後幕２０９，先幕２１０の開放によって、後方に配置されている固体撮像素子であるＣＣＤ（撮像手段）２１２に必要な露光を与える。撮影時にＣＣＤ２１２に蓄積された画像データは、別に設けられた不図示の画像処理回路を通して後述する記録手段に送られる。
【００３３】
また、クリーニングモードの時は、クイックリターンミラー２０３を退避位置に駆動し（ミラーアップ）、先幕２１０を開放して、後幕２０９を保持（走行させない）するように制御して、レンズマウント２０２側からＣＣＤカバーガラス上のゴミを除去することができるようにしている。
【００３４】
２１１はプリント基板で、ＣＣＤ２１２（撮像手段）が保持されている。このプリント基板２１１の後方にもう１枚のプリント基板である表示基板２１５が配置してある。この表示基板２１５の外側の面にＬＣＤ（液晶表示器）モニタ装置１２０およびバックライト照明装置２１４が配置してある。２１６は画像データを記録するハードディスク装置（記録手段）、２１７が電池（携帯用電源）である。このハードディスク装置２１６、および電池２１７は着脱可能である。
【００３５】
図４は、本実施例の一眼レフタイプのデジタルカメラの電気回路構成を示すブロック図である。同図において、４０１はプリント基板で、カメラの動作の全てを制御するマイクロコンピュータ４０２、ＣＣＤ４１８の出力である画像データを処理したり、ゴミの画像を拡大したりしてＬＣＤモニタ装置（画像表示手段）４１６に画像を表示する画像表示制御回路４０３等が搭載されている。
【００３６】
４０５はスイッチ１で、レリーズボタン１１４（図１参照）の半押し状態でオン（ＯＮ）するスイッチであり、このスイッチ１がオンすると本デジタルカメラは撮影準備状態になる。４０６はスイッチ２で、レリーズボタン１１４（図１参照）が最後まで押された状態でオン（ＯＮ）するスイッチであり、このスイッチ２がオンすると本デジタルカメラは撮影動作を開始する。
【００３７】
４０７はレンズ制御回路で、本実施例は、一眼レフタイプのデジタルカメラであるので、撮影レンズ２００（図１および図３参照）との通信およびＡＦ（オートフォーカス）時の撮影レンズ２００の駆動や絞り羽根の駆動の制御をこのレンズ制御回路４０７が受け持っている。また図４において、４０８は外部表示制御回路で外部表示装置４０９や、ファインダ内の表示装置（不図示）の制御を行う。４１０はスイッチセンス回路で、カメラ内に設けられた電子ダイヤル４１１を含む多数のスイッチ類の信号をマイクロコンピュータ４０２に伝える働きをしている。
【００３８】
４１２はストロボ発光調光制御回路で、Ｘ接点４１２ａを介して接地されており、外部ストロボの制御を行う。４１３は測距回路で、ＡＦ（オートフォーカス）のための被写体に対するディフォーカス量を検出する機能を有する。４１４は測光回路で、被写体の輝度を測定する機能を有する。４１５はシャッタおよびミラーの駆動制御を行う回路で、シャッタを適宜開放してＣＣＤ４１８に対して適正な露光をしたり、ミラーアップ，ミラーダウンの制御駆動を行う。ＬＣＤモニタ装置４１６とバックライト照明装置４１７は画像表示手段を構成している。４１９は記録手段であるところの記憶装置（ハードディスク）である。
【００３９】
次に本実施例のデジタルカメラの動作を図５にもとづき説明する。図５は本実施例のデジタルカメラの動作の流れを示すフローチャートのメインルーチンである。まず、ステップ５０１（図ではＳ５０１と略記する、以下同様）でメインスイッチ１２３（図２参照）がオンしたか否かを判断する。ここでいうオンは、図２でメインスイッチが“Ａ”の位置にある時である。もしここで、メインスイッチ１２３がオフ（ＯＦＦ）の状態（“Ｌ”の位置）であれば、そのまま何もせずスタートに戻って、またステップ５０１に進む。つまり、電池が入っていてもメインスイッチが“Ｌ”の位置であれば、ステップ５０１からスタートの間のループを繰り返して待機していることになる。一方、メインスイッチ１２３がオン（“Ａ”の位置）であれば、ステップ５０２に進み、本デジタルカメラの各操作スイッチがオンしたか否かを判断する。そして、いずれの操作スイッチも操作されていない時は、スタートに戻って、ステップ５０１に進む。
【００４０】
ステップ５０２でいずれかの操作スイッチがオンされれば、ステップ５０３に進み、オンした操作スイッチに対応した処理をマイクロコンピュータ４０２（図４参照）により行う。この処理は、例えば、本デジタルカメラの各操作部材を操作して、撮影モードを変えたり、撮影済の画像を読み出したり、ゴミモードを設定したり、クリーニングモードを設定したりする処理である。ステップ５０３を実行した結果、クリーニングモードが設定されたか否かをステップ５０４で判断する。クリーニングモードが設定されていたら、ステップ５０５に進み、ＣＬＥＡＮＩＮＧルーチンを実行する。ＣＬＥＡＮＩＮＧルーチンについては後述する。クリーニングモードが設定されていなければ、ステップ５０６に進み、ステップ５０６では、ゴミモードが設定されたか否かを判断する。ゴミモードが設定されていたら、ステップ５０７に進み、スイッチ２がオンされたか否かを判断する。このスイッチ２は、レリーズボタン１１４（図１参照）が最後まで押された状態でオンするスイッチであり、このスイッチ２がオンすると本デジタルカメラは撮影動作を開始する。そして、スイッチ２がオフしていればそのまま何もせずにスタートに戻って、またステップ５０１から実行される。また、スイッチ２がオンすると、次のステップ５０８へ進み、レンズが装着されているかを判断し、レンズが装着されていれば、ステップ５０９に進んで撮影レンズを無限遠端まで作動させる。これは、撮影レンズ２００（図３参照、撮影手段）を通過して入射してくる被写体像を固体撮像素子であるＣＣＤ２１２（図３参照、撮像手段）に結像させないためである。こうすることにより、撮像素子であるＣＣＤ２１２のカバーガラス上に付着したゴミ等の異物のみ、撮像することができる。ステップ５０９で撮影レンズを無限遠端まで作動させた後、ステップ５１０の撮像処理ルーチンに進み、ゴミモードでの撮影を実行する。ステップ５１０の撮像処理ルーチンについては、後述する。もし、ステップ５０８でレンズが装着されていなければ、ステップ５０９をスキップしてステップ５１０に進む。次に、ステップ５１１は、ステップ５１０で撮影された画像をＬＣＤモニタ装置（画像表示手段）に表示する画像表示ルーチンである。画像表示ルーチンについては後述するが、以上の動作を実行することにより、ＣＣＤ２１２（図３参照、撮像手段）近傍に異物（ゴミ等）が付着していれば、撮影者はＬＣＤモニタ装置により容易に視認することができる。その表示状態を図９に示してある。図９は本デジタルカメラの背面部を示しているが、図９において、９０６はＣＣＤ２１２近傍に付着している異物（ゴミ等）が表示されている様子を示している。本実施例では、ＣＣＤで撮像した画像をそのままＬＣＤモニタ装置に表示している。図９の詳細については後述する。
【００４１】
一方、ステップ５０６でゴミモードでない時は、ステップ５１２へ進み、スイッチ１がオンしたか否かを判断する。このスイッチ１はレリーズボタン１１４（図１参照）の半押し状態でオンするスイッチであり、このスイッチ１がオンすると本デジタルカメラは撮影準備状態になる。そして、スイッチ１がオフしていれば前記ステップ５０１へ戻り、またスイッチ１がオンすると、本デジタルカメラは次のステップ５１３へ進む。
【００４２】
ステップ５１３では、測光（ＡＥ）動作および測距（ＡＦ）動作がそれぞれ行われ、撮影手段である撮影レンズ２００（図１，図３参照）が駆動されて焦点合わせが行われる。
【００４３】
次にステップ５１４でスイッチ２がオンされたか否かを判断する。このスイッチ２がオンすると次のステップ５１５へ進んで本デジタルカメラは撮影動作を開始する。ここでの撮影動作は、前記ステップ５１０と同じ撮像処理ルーチンを実行するが、ステップ５１５では、通常の被写体撮影動作となる。一方、スイッチ２がオフしていれば前記ステップ５１２へ戻り、ステップ５１２からステップ５１４を繰り返す。ステップ５１５の撮像処理ルーチンについては、後述する。ステップ５１６では、撮影された被写体の画像をＬＣＤモニタ装置（画像表示手段）に表示する。
【００４４】
ステップ５１２からステップ５１５までが、第１の撮像制御手段で、ステップ５０７からステップ５１０までが、第２の撮像制御手段である。両者の違いは、第１の撮像制御手段は通常の被写体を撮影する撮影動作を制御し、第２の撮像制御手段は、ＣＣＤ近傍に不用意に配置される異物（ゴミ等）像を撮影する撮影動作を制御する。特に第２の撮像制御手段では、撮影レンズが装着されていれば、撮影レンズ２００（図３参照、撮影手段）を無限遠端まで作動させて撮影レンズ２００を通過して入射してくる被写体像を撮像素子であるＣＣＤ２１２（図３参照、撮像手段）に結像させないことにより、撮像素子であるＣＣＤ２１２のカバーガラス上に付着したゴミ等の異物のみ、撮像することができる。
【００４５】
次に、前述した図５のデジタルカメラの動作の流れを示すフローチャートのなかの、ステップ５１０，ステップ５１５の撮像処理ルーチンについて説明する。図６は、撮像処理ルーチンの動作の流れを示すフローチャートである。この撮像処理ルーチンが実行されると、ステップ６０１でクイックリターンミラー（図３の２０３で示す）が作動して、いわゆるミラーアップして、撮影光路外にクイックリターンミラーが退避する。次に、ステップ６０２で撮像手段であるＣＣＤ２１２（図３参照）の蓄積が開始され、次のステップ６０３では、ＣＣＤ２１２の露光、即ち、先幕２１０（図３参照）、後幕２０９（図３参照）がそれぞれ走行する。そして、ステップ６０４でＣＣＤ２１２（図３参照）の蓄積が終了され、次のステップ６０５で、ＣＣＤ２１２から画像信号が読み出されて、不図示の画像処理回路に内蔵されている内部メモリに一時記憶される。次のステップ６０６で全ての画像信号の読出しが終了し、ステップ６０７でクイックリターンミラー（図３の２０３で示す）が作動して、いわゆるミラーダウンして、クイックリターンミラーが被写体光をファインダ光学系に導く位置（斜設位置）に戻り、一連の撮像動作が終了する。
【００４６】
次に、前述したの図５の本実施例のデジタルカメラの動作の流れを示すフローチャートのなかの、ステップ５１１の画像表示ルーチンについて、図７，図９を用いて説明する。
【００４７】
図７は、画像表示ルーチンの動作の流れを示すフローチャートである。この画像表示ルーチンが実行されると、ステップ７０１で、まず、撮影した画像をＬＣＤモニタ装置に表示する。その表示状態を図９に示してある。図９は、ＬＣＤモニタ装置にＣＣＤ上の異物（ゴミ等）を表示中の、本デジタルカメラの背面部を示している。図９において、９０１はＬＣＤモニタ装置（図２では１２０）、９０２はメニューボタン（図２では１２４）、９０３はサブ電子ダイヤル（図２では１１６）である。図９において、９０４はＬＣＤモニタ装置９０１に表示されているクリーニングモードを選択するためのアイコンである。９０５はゴミモードを終了させる際に選択するＤＯＮＥアイコンである。９０６はＣＣＤ２１２近傍に付着している異物（ゴミ等）が表示されている様子を示している。この状態がゴミモードで、ＬＣＤモニタ装置に撮影したゴミと２つのアイコン（ＣＬＥＡＮＩＮＧアイコン９０４，ＤＯＮＥアイコン９０５）が表示されている。
【００４８】
図７のステップ７０２で、ＣＬＥＡＮＩＮＧアイコン９０４が選択されたか否かを判断する。ここで、ＣＬＥＡＮＩＮＧアイコン９０４が選択されたら、ステップ７０３に進んでＣＬＥＡＮＩＮＧルーチンが実行される。ＣＬＥＡＮＩＮＧルーチンについては、後述する。一方、ＣＬＥＡＮＩＮＧが設定されていなければステップ７０４に進み、ＤＯＮＥアイコン９０５が選択されたか否かを判断する。ここで、ＤＯＮＥアイコン９０５が選択されていれば、リターンへ進んで本ルーチンは終了する。つまり、ゴミモードの処理が終了して、図５のスタートに戻り、通常のスタンバイモードになる。一方、ステップ７０４でＤＯＮＥアイコン９０５が選択されていなければ、ステップ７０１に戻る。つまり、いずれのアイコンも選択されていなければ、ステップ７０１，７０２，７０４を繰り返して、画像の表示を継続する。
【００４９】
次に、アイコンの選択方法であるが、図９において、メニューボタン９０２を押しながらサブ電子ダイヤル９０３を回転させると、ＣＬＥＡＮＩＮＧとＤＯＮＥのアイコンが交互に切り換わり、それぞれのアイコンが白黒反転表示する。所望のアイコンが反転表示されている時メニューボタンボタン９０２を離せば、選択が完了する。
【００５０】
これら、メニューボタン９０２，サブ電子ダイヤル９０３，ＣＬＥＡＮＩＮＧアイコン９０４で、“ゴミモード切換制御手段”を構成している。
【００５１】
次に、前述した図７の画像表示ルーチンの動作の流れを示すフローチャートのなかの、ステップ７０３のＣＬＥＡＮＩＮＧルーチンについて、図８，図１０を用いて説明する。
【００５２】
図８は、クリーニング制御手段であるところのＣＬＥＡＮＩＮＧルーチンの動作の流れを示すフローチャートである。このＣＬＥＡＮＩＮＧルーチンが実行されると、ステップ８０１で、まず、ＣＬＥＡＮＩＮＧモードを示す画面をＬＣＤモニタ装置に表示する。その表示状態を図１０に示してある。図１０は、ＣＬＥＡＮＩＮＧモードを示す画面をＬＣＤモニタ装置に表示している時の、本デジタルカメラの背面部を示している。図１０において、１００１はＬＣＤモニタ装置（図２では１２０）、１００２はメニューボタン（図２では１２４）、１００３はサブ電子ダイヤル（図２では１１６）である。図１０において、１００４はＬＣＤモニタ装置１００１に表示されているＣＬＥＡＮＩＮＧモードを終了させる際に選択するＤＯＮＥアイコンである。
【００５３】
図８において、ステップ８０１で、ＣＬＥＡＮＩＮＧモードを示す画面をＬＣＤモニタ装置に表示した後、ステップ８０２でミラーアップする。次にステップ８０３で先幕を駆動して先幕を走行させる。この時点で本デジタルカメラはバルブ状態となる。ここで、レンズが装着されていれば、オペレータはレンズを外して、レンズマウント側から、ブロアー等の清掃用の道具を使用して、ＣＣＤ面のゴミや汚れを取り除くことになる。これらの清掃作業が終了したら、図１０に示すＤＯＮＥのアイコン１００４を選択する。選択の方法は、メニューボタン１００２を押しながらサブ電子ダイヤル１００３を１クリック回転させると、ＤＯＮＥアイコンの白黒が反転して選択できる。この状態を監視しているのが図８のステップ８０４である。ＤＯＮＥが選択されるまで、ステップ８０４を実行していて、ＤＯＮＥが選択されると、ステップ８０５に進み先幕を駆動して幕が閉じる。次にステップ８０６でミラーがダウンして、一連の動作が終了する。
【００５４】
したがって、本実施例によれば、ゴミモードに設定されていない時は、通常の被写体撮影となり、ゴミモードに設定されている時は、撮影レンズが装着されていれば、撮影レンズを無限遠端に駆動して、被写体の像は結像しないようにして、ＣＣＤ近傍のゴミのみを撮像するようにしたので、撮像した画像を画像表示手段で確認することにより、容易にＣＣＤ近傍のゴミを確認できる。
【００５５】
また、本実施例では、ゴミモードの表示画面上で、即、クリーニングモードに移行できるので、ゴミを確認したら、すぐに清掃作業に移ることができ、作業の効率化が図れて大変便利である。
【００５６】
（実施例２）
次に、実施例２である“一眼レフタイプのデジタルカメラ”を図１１，図１２にもとづき説明する。
【００５７】
なお本実施例のデジタルカメラの構成は、図１〜図７および図９と同様であるから、これら各図を援用して説明する。
【００５８】
本実施例が前述した実施例１と異なる点は、図５に示す、デジタルカメラの動作の流れを示すフローチャートのなかの、ステップ５０５のＣＬＥＡＮＩＮＧルーチンと、図７に示す、画像表示ルーチンの動作の流れを示すフローチャートのなかの、ステップ７０３のＣＬＥＡＮＩＮＧルーチンのみであるので、このＣＬＥＡＮＩＮＧルーチンについて、図１１にもとづき説明する。
【００５９】
図１１は、本実施例におけるクリーニング制御手段であるところのＣＬＥＡＮＩＮＧルーチンの動作の流れを示すフローチャートである。このＣＬＥＡＮＩＮＧルーチンが実行されると、ステップ１１０１で、まず、ＣＬＥＡＮＩＮＧモードを示す画面をＬＣＤモニタ装置に表示する。その表示状態を図１２に示してある。図１２は、ＣＬＥＡＮＩＮＧモードを示す画面をＬＣＤモニタ装置に表示している時の、本デジタルカメラの背面部を示している。図１２において、１２０１はＬＣＤモニタ装置（図２では１２０）、１２０２はメニューボタン（図２では１２４）、１２０３はサブ電子ダイヤル（図２では１１６）である。図１２において、１２０４は、ＬＣＤモニタ装置１２０１に表示されているゴミモードを選択するためのＤＵＳＴアイコンである。１２０５は、ＣＬＥＡＮＩＮＧモードを終了させる際に選択するＤＯＮＥアイコンである。
【００６０】
図１１において、ステップ１１０１で、前述したＣＬＥＡＮＩＮＧモードを示す画面をＬＣＤモニタ装置に表示した後、ステップ１１０２でミラーアップする。次にステップ１１０３で先幕を駆動して先幕を走行させる。この時点で本デジタルカメラはバルブ状態となる。ここで、レンズが装着されていれば、オペレータはレンズを外して、レンズマウント側から、ブロアー等の清掃用の道具を使用して、ＣＣＤ面のゴミや汚れを取り除くことになる。これらの清掃作業が終了して、直ちにゴミモードでＣＣＤ上のゴミの付着状態を確認したい時は、図１２に示すＤＵＳＴアイコン１２０４を選択する。選択の方法は、メニューボタン１２０２を押しながらサブ電子ダイヤル１２０３を回転させると、ＤＵＳＴとＤＯＮＥのアイコンが交互に切り換わり、それぞれのアイコンが白黒反転する。所望のアイコンを選択してメニューボタン１２０２を離せば選択は終了する。
【００６１】
これら、メニューボタン１２０２，サブ電子ダイヤル１２０３，ＤＵＳＴアイコン１２０４は“ゴミモード切換制御手段”を構成している。
【００６２】
この状態を監視しているのが、図１１のステップ１１０４，１１０５である。もしＤＵＳＴが選択されていればステップ１１０６へ進んで、ゴミモードにセットする。ゴミモードが選択されていなければ、ステップ１１０５に進み、ＤＯＮＥが選択されたか否かを判断する。ＤＯＮＥが選択されていなければ、ステップ１１０４へ戻り、ステップ１１０４〜ステップ１１０５を繰り返し実行する。この間はバルブ状態を継続することになる。もし、ステップ１１０５でＤＯＮＥが選択されれば、ステップ１１０７に進み先幕を駆動して幕が閉じる。次にステップ１１０８でミラーがダウンして、一連の動作が終了する。
【００６３】
したがって、本実施例によると、ＣＣＤのカバーガラス上に付着した、ゴミ等の清掃をするためのクリーニングモード動作中に、清掃作業が終了して、直ちに清掃後の状態を確認したい時は、クリーニングモードの表示画面上から直ちにゴミモードを選択して、必要最小限のカメラの操作でゴミモードに移行できるため、ＣＣＤ等の撮像素子上のゴミ等の異物の付着状態をＬＣＤモニタ装置を使用して容易に確認することができる。
【００６４】
【発明の効果】
以上説明したように、本発明の撮像装置によれば、ゴミモードに設定された場合に、ＣＣＤ近傍のゴミを画像表示手段で確認した後、ゴミモードの画面で直ちにクリーニングモードにセットできるため、煩雑なメニューの選択操作が不要になり、短時間で清掃作業に移れるため、カメラのメンテナンスが容易になる。
【００６５】
また、本発明の撮像装置によれば、クリーニングモードに設定された場合に、ＣＣＤ近傍のゴミを清掃した後、クリーニングモードの画面で直ちにゴミモードにセットできるため、煩雑なメニューの選択操作が不要になり、短時間でＣＣＤ上のゴミの確認作業に移れるため、ゴミの確認と清掃作業の繰り返しがし易くなり、カメラのメンテナンスが容易になる。
【図面の簡単な説明】
【図１】  実施例１の平面図
【図２】  実施例１の背面図
【図３】  実施例１の側断面図
【図４】  実施例１の構成を示すブロック図
【図５】  実施例１のメインルーチンを示すフローチャート
【図６】  撮像処理ルーチンを示すフローチャート
【図７】  画像表示ルーチンを示すフローチャート
【図８】  クリーニングルーチンを示すフローチャート
【図９】  ゴミモードにおけるＬＣＤモニタ装置の表示例を示す図
【図１０】  クリーニングモードにおけるＬＣＤモニタ装置の表示例を示す図
【図１１】  実施例２におけるクリーニングルーチンを示すフローチャート
【図１２】  クリーニングモードにおけるＬＣＤモニタ装置の表示例を示す図
【図１３】  従来例におけるメニュー画面の表示例を示す図
【図１４】  従来例におけるメインメニュー画面の表示例を示す図
【図１５】  従来例におけるゴミモード，クリーニングモード画面の表示例を示す図
【符号の説明】
１００  カメラ本体
１２０  ＬＣＤモニタ装置
２１２  ＣＣＤ（固体撮像素子）
【図１】
0004235327.tif 000002
【図２】
0004235327.tif 000003
【図３】
0004235327.tif 000004
【図４】
0004235327.tif 000005
【図５】
0004235327.tif 000006
【図６】
0004235327.tif 000007
【図７】
0004235327.tif 000008
【図８】
0004235327.tif 000009
【図９】
0004235327.tif 000010
【図１０】
0004235327.tif 000011
【図１１】
0004235327.tif 000012
【図１２】
0004235327.tif 000013
【図１３】
0004235327.tif 000014
【図１４】
0004235327.tif 000015
【図１５】
0004235327.tif 000016